(57)【特許請求の範囲】
【請求項１】
長手方向に長い吹出口と、吹出口内に吹出口の長手方向に沿って設けられる一枚の前フィンと、を有し、吹出口近傍の内側面に、下流側に向かって前記前フィンに近づくように内側に傾斜する第１傾斜面を上流側に有する山形凸条が吹出口の長手開口縁に沿って形成される車両空調用のレジスタにおいて、
前記長手開口縁は、下流側に突出して側面視略円弧状に形成されると共に、前記前フィンも前端縁部が、長手開口縁に沿う略円弧状に形成され、
前記山形凸条における前記第１傾斜面の傾斜角度は、前記吹出口の長手方向において中央部分から端部に向かうに連れて大きくなることを特徴とするレジスタ。
【請求項２】
前記前フィンにおける長手方向端部の近傍部分の弦長を長くするように当該近傍部分の後部を延長することを特徴とする請求項１に記載のレジスタ。  
【請求項３】
前記吹出口内において前記前フィンより上流側に、回動軸が吹出口の短手方向と略同じ向きに配設される複数枚の奥フィンを有し、
前記奥フィンはいずれもその前中央部分が切り欠かれていることを特徴とする請求項１又は請求項２に記載のレジスタ。
【請求項４】
前記吹出口と連続する通風路を有し、
前記通風路において前記吹出口の短手方向に沿う内壁には、下流側に向かい前記奥フィンに近づくように内側に傾斜する第２傾斜面を有する漏れ防止部が形成されることを特徴とする請求項３に記載のレジスタ。
【発明の詳細な説明】
【技術分野】
【０００１】
本発明は、長手方向に長い吹出口と、吹出口内に吹出口の長手方向に沿って設けられる一枚の前フィンと、を有し、吹出口近傍の内側面に、下流側に向かって前記前フィンに近づくように内側に傾斜する第１傾斜面を上流側に有する山形凸条が吹出口の長手開口縁に沿って形成される車両空調用のレジスタに関するものである。
【背景技術】
【０００２】
近年、車両のデザインにおいて車両のフロントウィンドウの面積を広くとるため、インストルメントパネルの上端位置を下げてそのスペースを縮小する傾向が見られる。よってインストルメントパネルに配設されるレジスタも、その吹出口がより狭いものが求められるようになり、それにより吹出口内に設けられる前フィン（意匠フィン）の数も減少する傾向にある。例えば、特許文献１のような車両空調用のレジスタが報告されている。
【０００３】
特許文献１のレジスタでは、長手方向に長い空気吹出口１０と、空気吹出口１０内に空気吹出口１０の長手方向に沿って設けられる一枚の横フィン１３と、を有し、空気吹出口１０近傍の内側面には、吹出方向下流側（以下、下流側と略記）に向かい横フィン１３に近づくように内側に傾斜する傾斜面１１ａ、１１ｂを上流側に有する山形凸条１１、１２が空気吹出口１０の長手開口縁に沿って形成される。
そして通風路２１を流れる空気流は、空気吹出口１０から吹き出されるとき、空気吹出口１０の傾斜面１１ａ、１１ｂに沿って、横フィン１３の方向に曲げられ、意匠フィンである横フィン１３が１枚のみと少なくても、横フィン１３の向きを変えた時の風の指向性を良好なものとしている。
【先行技術文献】
【特許文献】
【０００４】
【特許文献１】特開２００９−１６０９８１号公報
【発明の概要】
【発明が解決しようとする課題】
【０００５】
ここで、車両メーカ等から、レジスタ前面を側面視略円弧状にデザインしたいという要求がある場合がある。例えば、車両内装のデザイン全体に丸みを帯びさせて柔らかな印象を持たせたいといった場合である。しかし、特許文献１のような意匠フィンを１枚のみとしたレジスタにおいて、前面を側面視略円弧状にデザインしようとすると前フィンの性能が大きく低下してしまうという問題が生じる。
【０００６】
仮に特許文献１の側面視略直線状のレジスタ前面が、側面視略円弧状に変形されると仮定する。すると空気吹出口１０の長手開口縁は下流側に突出した側面視略円弧状に変形される。
また横フィン１３もその前端縁部が、空気吹出口１０の長手開口縁に沿って下流側に突出した略円弧状に変形されるから、横フィン１３の長手方向端部近傍における弦長が短くなる。これにより、横フィン１３の長手方向端部において、横フィン１３の向きを変えたときの風の指向性が大幅に低下してしまう。
【０００７】
また、そもそも特許文献１の山形凸条１１、１２の形状の問題点として空気吹出口１０を通る空気流の圧力損失が大きいことが挙げられる。特に、空気吹出口１０の中央部分では風速がより大きいため、圧力損失が大きくなりがちである。
【０００８】
そこで、本発明は、上述した問題点を解決するためになされたものであり、１枚のみの前フィンを有するレジスタ前面のデザインを側面視略円弧状とした場合に、前フィンの長手方向端部近傍における指向性を向上させると共に、吹出口を通る空気流の圧力損失を全体として低減できるレジスタを提供することを目的とする。
【課題を解決するための手段】
【０００９】
前記目的を達成するため請求項１に係るレジスタは、長手方向に長い吹出口と、吹出口内に吹出口の長手方向に沿って設けられる一枚の前フィンと、を有し、吹出口近傍の内側面に、下流側に向かって前記前フィンに近づくように内側に傾斜する第１傾斜面を上流側に有する山形凸条が吹出口の長手開口縁に沿って形成される車両空調用のレジスタにおいて、前記長手開口縁は、下流側に突出して側面視略円弧状に形成されると共に、前記前フィンも前端縁部が、長手開口縁に沿う略円弧状に形成され、前記山形凸条における前記第１傾斜面の傾斜角度は、前記吹出口の長手方向において中央部分から端部に向かうに連れて大きくなることを特徴とする。
【００１０】
また請求項２のレジスタは、請求項１に記載のレジスタにおいて、前記前フィンにおける長手方向端部の近傍部分の弦長を長くするように当該近傍部分の後部を延長することを特徴とする。
【００１１】
また請求項３のレジスタは、請求項１又は請求項２に記載のレジスタにおいて、前記吹出口内において前記前フィンより上流側に、回動軸が吹出口の短手方向と略同じ向きに配設される複数枚の奥フィンを有し、前記奥フィンはいずれもその前中央部分が切り欠かれていることを特徴とする。
【００１２】
また請求項４のレジスタは、請求項３に記載のレジスタにおいて、前記吹出口と連続する通風路を有し、前記通風路において前記吹出口の短手方向に沿う内壁には、下流側に向かい前記奥フィンに近づくように内側に傾斜する第２傾斜面を有する漏れ防止部が形成されることを特徴とする。
【発明の効果】
【００１３】
請求項１のレジスタでは、前面を側面視略円弧状にデザインするため、吹出口の長手開口縁は、下流側に突出して側面視略円弧状に形成されると共に、前フィンも、その前端縁部が吹出口の長手開口縁に沿う略円弧状に形成される。これにより前フィンの弦長は前フィンの長手方向端部に近づくほど短くなる。これに対して第１傾斜面の傾斜角度は、吹出口の長手方向において中央部分から端部に向かうに連れて大きくなる。
よって前フィンの弦長が短い吹出口の長手方向端部近傍では特に、第１傾斜面の傾斜角度を大きくすることにより、吹出方向に流れてきた風が第１傾斜面に当たってその向きをより大きく変える。よって第１傾斜面により向きが変化した風は前フィンに当たり易くなり、前フィンの指向性を向上させることができる。また第１傾斜面の傾斜角度が小さいほど吹出口を通る風の圧力損失は小さくなる傾向にあるが、風速が比較的小さな吹出口の長手方向端部近傍では、第１傾斜面の角度を大きくしても空気流の圧力損失はあまり大きくならない。
また吹出口の長手方向中央部分に向かうにつれて前フィンの弦長も長くなるから、吹出口の長手方向中央部分に向かうに連れて大きくなりがちな圧力損失を低減できる。
以上より、請求項１のレジスタでは、吹出口を通る空気流の圧力損失全体を低減しつつ、長手方向端部近傍における前フィンの指向性を上げることができる。
【００１４】
また、請求項２のレジスタでは、前フィンの長手方向端部の近傍部分の弦長を長くするように当該近傍部分の後部が延長される。よって、レジスタ前面の意匠に影響を与えることなく前フィンの長手方向端部の近傍部分の弦長を長くして、長手方向端部の近傍部分であっても前フィンの表面により多くの空気流を流れさせて当該長手方向端部の近傍部分における指向性を上げることができる。また、前フィンの剛性も向上する。
【００１５】
また請求項３のレジスタでは、吹出口内において前フィンより上流側に、回動軸が吹出口の短手方向と略同じ向きに配設される複数枚の奥フィンを有する。
ここで前フィンの前端縁部が略円弧状となることにより、前フィンの長手方向端部に設けられる回転軸は、前フィン前端縁部が略直線形状に形成される特許文献１のレジスタに比べて上流側に配設せざるを得なくなる。すると、吹出口の短手方向と略同じ向きに配設される複数枚の奥フィンの回動軸も、奥フィンと前フィンとの当接を避けるために、特許文献１のレジスタに比べて吹出口からより遠い上流側に配設されることになる。ここで、奥フィンの指向性は、奥フィンの回動軸と吹出口との距離をどれほど小さくできるかに依存する。吹出口との距離が長いと、直線方向の空気流が奥フィンにより別の方向に曲げられても、その後、吹出口の内側面に当たってその向きが乱されてしまうからである。よって、レジスタ前面を側面視略円弧状にデザインすると、奥フィンの指向性が低下する問題が起こる。
しかし、請求項３のレジスタでは、奥フィンはいずれもその前中央部分が切り欠かれているので、その分、奥フィンの回動軸の位置を前フィン吹出口前端に近づけることができ、奥フィンによる風の指向性を向上させることができる。
【００１６】
また、請求項４のレジスタでは、吹出口と連続する通風路を有し、通風路において吹出口の短手方向に沿う内壁には、下流側に向かい奥フィンに近づくように内側に傾斜する第２傾斜面を有する漏れ防止部が形成される。
よって通風路において吹出口の短手方向に沿う内壁近くを通る空気流は漏れ防止部の第２傾斜面により奥フィン側に曲げられる。このため吹出口の短手方向に沿う通風路内壁近傍を通る空気流が奥フィンと通風路内壁との隙間を抜けてしまうことが防止されて、より多くの空気流が奥フィンの表面に沿って流れることになり、奥フィンの指向性を更に向上できる。
【図面の簡単な説明】
【００１７】
【図１】第１実施形態のレジスタの正面図である。
【図２】第１実施形態のレジスタの斜視図である。
【図３】第１実施形態のレジスタの側面図である。
【図４】第１実施形態のレジスタの分解斜視図である。
【図５】第１実施形態のレジスタのＡ−Ａ断面図である。
【図６】図５のレジスタを前フィンの回動軸と略直交する線であるＢ−Ｂ線で切断した断面図である。
【図７】図５のレジスタを前フィンの回動軸と略直交する線であるＣ−Ｃ線で切断した断面図である。
【図８】図５のレジスタを前フィンの回動軸と略直交する線であるＤ−Ｄ線で切断した断面図である。
【図９】各奥フィンの切り欠き形状を示す図である。（Ａ）は平面図、（Ｂ）は右方から見た斜視図である。
【図１０】第２実施形態のレジスタを図１のＡ−Ａ位置で切断した断面図である。
【図１１】第２実施形態のリテーナの側面図である。
【発明を実施するための最良の形態】
【００１８】
以下、本発明に係るレジスタについて、具体化した２つの実施形態に基づいて図面を参照しつつ詳細に説明する。
図１〜図９に基づき説明する第１実施形態のレジスタ１、図１０、図１１に基づき説明する第２実施形態のレジスタ１００は、いずれも車両のインストルメントパネルにおいてナビゲーション画面の両脇部分に配設される。以下では図１の左をレジスタ１の左方向、図１の右をレジスタ１の右方向、図１の下をレジスタ１の下方向、図１の上をレジスタ１の上方向と呼ぶ。図１の前方向をレジスタ１の前方向又は下流側、図１の後をレジスタ１の後方向或いは上流側と呼ぶ。各方向の呼び方は第２実施形態でも同様である。
【００１９】
図１〜図４のように、第１実施形態のレジスタ１は、レジスタ１の前面部を構成する前板部１１を有するベゼル１０と、ベゼル１と嵌合して連結するダクト状のリテーナ２０とを有する。
図１のように、正面視において、前板部１１は長手方向に長く短手方向に短い略長方形である。そして、その前板部１１には、前板部１１の長手方向と略同方向の長手方向を有する略長方形をした吹出口２が開口している。
ここで図３のように、ベゼル１０の前板部１１は、下流側に突出するように側面視略円弧状に湾曲した湾曲板状をしている。よって吹出口２の短手側端縁を構成する長手開口縁１１Ａも、側面視略円弧状をしている。
【００２０】
また、吹出口２内には、吹出口２の長手方向に沿って前フィン５０が配設される。図２のように前フィン５０は後述する回転軸５１、５２が吹出口２の短手開口縁１１Ｂの中央部分のすぐ内側にそれぞれ配設されているため、図１のように、正面視では回転軸５１、５２を通る直線が吹出口２を短手方向に２分する中央線と略一致し、回転軸５１、５２を通る直線が吹出口２の長手方向と略平行に見える。
図３ではベゼル１０の内側に隠れているが、正面を向いた状態における前フィン５０の前端縁部５０Ａが成す略円弧は、吹出口２の長手開口縁１１Ａを側面視してなる略円弧の直ぐ内側に当該略円弧に沿うように位置する。前フィン５０前端縁部５０Ａの略円弧は、長手開口縁１１Ａからなる略円弧よりもわずかに半径が小さいが同程度の中心角を有する。また、前フィン５０の回動軸５１、５２を通る直線は、前板部１１を側面視してなる略円弧のうち中央の点を通る接線と略平行となる。なお、図３のように、前板部１１は側面視において左側部分が右側部分よりもやや突出した形状をしている。
このようにして、レジスタ１の前面のデザインは側面視略円弧状となるように形成されている。
【００２１】
なお、図２、図３のように、レジスタ１の長手方向の直線はいずれも上方に向かい斜め後方に向いており、レジスタ１は全体として上方に向かい後方に傾斜した形状をしている。図３のように、前板部１１を側面視してなる略円弧も、当該略円弧の中央の点を通る接線が垂直方向に対して１０°程度傾いている。
【００２２】
また図１〜図３のように、前フィン５０の上流側には複数枚の奥フィン８０が、その回動軸８２がいずれも、前フィン５０の回動軸５１、５２と略直交すると共に吹出口２の短手方向と略同方向を向くように配設される。各奥フィン８０の回動軸８２は、上述したレジスタ１の傾斜に合わせて上方に向かい斜め後方に向く直線上に沿って並列するように配設される。
【００２３】
続いて図４に基づいて、レジスタ１を構成する各部品について概説する。
レジスタ１は、上述したベゼル１０、リテーナ２０、前フィン５０、奥フィン８０のほか、前フィン５０に摺動可能に取り付けられる操作ノブ６０、前フィン５０の回動軸５１、５２を支持する略板状の軸受部７０、７５、操作ノブ６０と嵌合するラック状の歯部６２を有する。
【００２４】
ベゼル２０は、上述した前板部１１と、前板部１１から後方に突出する枠部１５とを有する。枠部１５は、後方からみると略矩形である後端縁部１５Ｂによりリテーナ２０の前縁部を囲むように嵌着すると同時に、前板部１１の長手開口縁１１Ａと連続する側壁部１５Ａを有し、側壁部１５Ａはその内側面に後述する山形凸条１３、１４を有する。
一方、リテーナ２０は上記のレジスタ１の傾斜形状により側面視略平行四辺形をした（図１０参照）ダクト状であり、内部に通風路２５を形成する。
ベゼル１０の枠部１５はリテーナ２０に嵌合するための板状突起１６を有し、これがリテーナ２１の外壁面に形成された外壁孔部２１に挿入される。そして板状突起１１に開いた角状の孔１２がリテーナ２０外壁面の係止突起２２と係合してベゼル１０がリテーナ２０に嵌合する。これにより、ベゼル１０の前板部１０の正面に開口する吹出口２とリテーナ２０とが連通する。
【００２５】
また、前フィン５０は、上述したように略円弧状の前端縁部５０Ａを有しており、その長手方向の両端部からはそれぞれ外側方向に回動軸５１、５２が立設される。
また、下側の回動軸５１は下側の軸受部７０の軸孔７１に、上側の回動軸５２は上側の軸受部７５の軸孔７６に回動可能に軸支される。また、上側の回動軸５２の直ぐ後側には回動軸５２と略同方向に軸部５３が立設している。軸部５３は上側の軸受部１の長孔７７に挿通され、軸部５３と長孔７７との当接により前フィン５０の回動角度が規制される。
下側の軸受部７０はリテーナ２０の前縁部の下側嵌合部２３に嵌合すると共に上側の軸受部７５は上側嵌合部２４に嵌合する。この状態で、ベゼル１０がリテーナ２０に嵌着すると、軸受部７０、７５の各先端が前板部１１の内側面に当接してしっかり固定される（図５、図１０参照）。  
【００２６】
また、前フィン５０の略中央部分を挟みこむように操作ノブ６０が前フィン５０の長手方向に沿って上下方向に摺動可能に外嵌される。前フィン５０を外装した操作ノブ６０の後部にはラック状の歯部６２が設けられる。
【００２７】
また、図４のように、上述した複数枚の奥フィン８０は、それぞれ左右の端面から外方に回転軸８２が突設され、それらの回転軸８２は、左右の軸受部８５、８５にそれぞれ回動可能に嵌合される。これら左右の軸受部８５、８５がリテーナ２０の前縁部の左壁と右壁のそれぞれ内側に配設された状態でベゼル１０がリテーナ２０に嵌着されると、軸受部８５、８５が枠部１５の内側面に当接して軸受部８５、８５がしっかり固定される（図６等参照）。
また、図９（Ａ）のように、各奥フィン８０は、略四角形の前部と、当該前部よりも幅狭な略四角形の後部とからなり、後部からは右側の回転軸８２と略同方向に突起部８８がそれぞれ突設される。そして、各突起部８８がリンク部材９０により相互に連結されることにより、各奥フィン８０は連動して回動して、一斉にその向きを変えることができる。このリンク部材９０はリテーナ２０内部に位置する。
【００２８】
また上から４枚目の奥フィン８０に、上述した扇形歯車８７が前方に突出して嵌着されている。この扇形歯車８７は、その前方に位置する前フィン５０上の操作ノブ６０後部に設けられる上述の歯部６２と噛合するように配設される。よって操作ノブ６０を前フィン１３に沿って上下方向摺動することにより、連動して回動する奥フィン８０の向きを変更することが出来る。
なお、各奥フィン８０の切り欠き形状等については後述する。
【００２９】
次に、前フィン５０の構造について図５に基づいて詳述する。
図５は図１のＡ−Ａ断面図であり、前フィン５０の前端縁部５０Ａの側面視略円弧形状を示す。また図５の距離Ｌ及び距離Ｍは、いずれも前フィン５０の回転軸５１、５２を通る直線と略直交する線分の長さであり、前フィン５０の回転軸５１、５２を通る直線と前フィン前端縁部５０Ａとの距離を示す。前フィン５０の長手方向端部に最も近い箇所における距離Ｌは、回転軸５１、５２を通る直線と前フィン前端縁部５０Ａとの最短距離であり、前フィン５０の略中央部分における距離Ｍは、回転軸５１、５２を通る直線と前フィン５０の前端縁部との最長距離である。本実施形態では、最短距離Ｌは最長距離Ｍの４倍以上であり、前フィン５０の略円弧が大きな円弧であることを示している。なお、前フィン５０の前端縁部の略円弧形状は、最短距離Ｌと最長距離Ｍとの差が７ｍｍ以上の大きな円弧であることが望ましい。すなわち、最短距離Ｌと最長距離Ｍの差が７ｍｍ以上の場合に、本発明の効果が大きい。
【００３０】
そこで、前フィン５０における長手方向端部の近傍部分の弦長ｒ（前フィン５０の前端から後端までを結ぶ、回動軸５１、５２と略直交する線分の長さ）を長くするために、当該近傍部分において後部を延長させている。
図５では、延長した部分を斜線で示す。このような延長は、前フィン５０の長手方向の略中央部分における最長弦長（図５における弦長Ｒ）に対して、弦長ｒが３分の２以上となる箇所より端部側で行われるものとする。例えば図５において、前フィン５０の中央より下側では、延長の起点となる箇所の弦長ｒ１は最長弦長Ｒの約０．８倍となり、３分の２よりも大きい。図５では、後部への延長部分の延長幅は延長の起点となる箇所では０であって端部側へ向かうにつれて大きくなり所定幅に達すると端部近傍では当該所定幅を維持する。
なお、図５では前フィン５０の大部分において弦長ｒが最長弦長Ｒの３分の２以上となっている。
【００３１】
ここで、通風路２５内壁に設けられる漏れ防止部２６、２７について説明する。
図５等のように、吹出口２の短手方向に沿う通風路２５の上下内壁（すなわちリテーナ２０の上下内壁）における吹出口２近傍に、漏れ防止部２６、２７が形成される。図５のように、上側の漏れ防止部２６は、側断面視略台形であり、上流側には、下流側に向かい奥フィン８０に近づくように内側に傾斜する上流側傾斜面２６Ａを有する。上流側傾斜面２６Ａは、水平なリテーナ２０後部上壁に対して約１２０°傾斜している。一方、下側の漏れ防止部２７は一枚の壁状であり、側断面視において水平なリテーナ２０の下壁に対して約７０°傾斜している。これらの漏れ防止部２６、２７は略同一の側断面を持って吹出口２の短手方向に沿って連続して形成される。
上流側傾斜面２６Ａも１枚壁状の漏れ防止部２７も、奥フィン８０の方向を向いているため、吹出口２の短手方向に沿う通風路２５内壁近傍を通る通風方向の空気流は、漏れ防止部２６の上流側傾斜面２６Ａや漏れ防止部２７に当たり、奥フィン８０側に向けられる。よって吹出口２の短手方向に沿う通風路２５内壁近傍を通る空気流が通風路２５の上下の内壁と奥フィン８０との隙間を抜けてしまうのを防止して、奥フィン８０の指向性を高めることができる。
【００３２】
続いて図６〜図８に基づいて本実施形態の吹出口２の構造について詳述する。図６〜８は、レジスタ１の正面断面図であり、前フィン５０の長手方向中央部から端部近傍にかけて３段階で切断したものである。上述のように、前フィン５０はその長手方向端部近傍を後側に延長させるものの、図６〜図８のように、断面図の切断位置が長手方向中央から端部に向かうに連れて前フィン１３の弦長は徐々に短くなっている。
図６〜図８のように、吹出口２の左右の内側面には、前板部１１と連続する吹出口２の直ぐ内側面の対向した左部と右部に、山形凸条１３、１４が形成される。山形凸条１３と山形凸条１４は、吹出口２の短手方向中央線に対し略対称形に形成されると共に、吹出口２の長手開口縁１１Ａに沿って連続して形成される。山形凸条１３、１４は上述の枠部１５の側壁部１５Ａの内面形状として形成される。
山形凸条１３、１４は、下流側傾斜面１３Ｂ、１４Ｂと上流側傾斜面１３Ａ、１４Ａからなる。上流側傾斜面１３Ａ、１４Ａは下流側に向かって前フィン５０に近づくように吹出口２の内側に傾斜する。また、下流側傾斜面１３Ｂ、１４Ｂは下流側に向けて吹出口２の外側に広がるように、つまり前斜め左方と前斜め右方に向けて傾斜する。
【００３３】
なお、図６〜図８において、前フィン５０の前端縁部５０Ａは上流側傾斜面１３Ａ、１４Ａの下流側端部よりもやや下流側に位置しており、上流側傾斜面１３Ａ、１４Ａに当たりむきを変えた空気流が前フィン５０に当たり易くしている。
なお、図６〜図８では、前フィン５０の後端縁部は上流側傾斜面１３Ａ、１４Ａの上流側端部と略同位置或いはやや上流側に位置している。
【００３４】
ここで、図６〜図８に示すように、下流側傾斜面１３Ｂ、１４Ｂは前板部１１の長手方向に沿う各位置において、その幅も、前板部１１に対する傾斜角度も略等しい。これはレジスタ１の正面の意匠に整った美しさを与える（図１参照）。
一方、図６〜図８のように、吹出口２の長手方向の中央部から端部に向かうに連れて、上流側傾斜面１３Ａ、１４Ａの水平方向に対する傾斜角度はより大きくなる。上流側傾斜面１３Ａ、１４Ａの傾斜角度は、図６の吹出口２の長手方向中央部分のＢ−Ｂ位置では２１．６°であり、図７のように、中央部分よりも端部側のＣ−Ｃ位置では２２．７°であり、図８のように更に端部側のＤ−Ｄ位置では３０．２°である。
なお、これに伴い上流側傾斜面１３Ａ、１４Ａの幅は吹出口２の長手方向端部側ほど短くなっている。
【００３５】
このように、上流側傾斜面１３Ａ、１４Ａの傾斜角度が吹出口２の長手方向に沿って変化すると、例えば図６のように前フィン５０の弦長が長いため、通風路２５を通風方向に流れる空気流の大部分が前フィン５０の表面に沿って流れ易く、良好な指向性が得易い吹出口２の長手方向中央部分では上流側傾斜面１３Ａ、１４Ａの傾斜角度を小さくしても前フィン５０の指向性は低減せず、一方で早い風速による空気流の圧力損失を低減することができる。
【００３６】
一方、図８のように、前フィン５０の弦長が短く、吹出口２内において前フィン５０表面に空気流が集まりにくい吹出口２の長手方向端部近傍では、上流側傾斜面１３Ａ、１４Ａの傾斜角度を大きくする。これにより、通風路２５を通風方向に流れる風が上流側傾斜面１３Ａ、１４Ａに当たってより大きくその向きを変えて前フィン５０側を向き易くなる。これにより、前フィン５０表面に沿ってより多くの空気流が流れることとなり、前フィン５０の指向性を向上させることができる。
また、吹出口２の長手方向端部の近傍では中央部分よりも風速が小さいので、上流側傾斜面１３Ａ、１４Ａの傾斜角度を大きくしても空気流の圧力損失はあまり大きくならない。
【００３７】
続いて、図９に基づいて、奥フィン８０の切り欠き形状について述べる。図９（Ａ）は軸受部８５、８５に軸支された状態の奥フィン８０の平面図、図１０（Ｂ）は右斜めから見た斜視図である。図９（Ａ）、（Ｂ）では切り欠き形状を見易くするために上述した扇形歯車８７を上から４枚目の奥フィン８０から取り外した状態を示す。
図９（Ａ）、（Ｂ）のように、各奥フィン８０は、その回動軸８２位置をより下流側に配置するために、いずれも前中央部分に切り欠き部８１を有する。ここで切り欠き部８１が各奥フィン８０前部の略中央部分となっているのは、前フィン５０の回動軸５１、５２を通る直線に対して、各奥フィン８０の左右の回動軸８２は略対称な位置にあるためである。各奥フィン８０の切り欠き部８１の形状は前フィン８０の後部の回動を逃すと共に切り欠き面積を小さくして奥フィン８０性能を維持するため略円弧状となっている。  
ただし、図９（Ｂ）のように、上から４枚目の奥フィン８０の切り欠き部８１Ａは扇形歯車８７を嵌装するために、略円弧状部分の後側中央部分がさらに凸状に切り欠かれている。また上から３枚目の奥フィン８０の切り欠き部８１Ｂも、操作ノブ６０の後側に取り付けられる歯部６２に当接しないように、略円弧状部分の後側中央部分が更に２段の凸状に切り欠かれている。
【００３８】
各奥フィン８０の切り欠き形状の大きさは、各奥フィン８０の性能（指向性）維持と、前フィン８０後部との当接関係とによって決定される。
このように各奥フィン８０の前中央部分を切り欠くと、その切り欠きの分だけ奥フィン８０の回動軸８２の位置を下流側にして吹出口２との距離を縮めることができる。
【００３９】
続いて、図１０、図１１に基づいて第２実施形態のレジスタ１００について説明する。第２実施形態のレジスタ１００は、第１実施形態のレジスタ１とほとんど同じ構成を有しており、同一の構成について同じ符号を付し、説明を省略する。
図５及び図１０に示すように、第２実施形態のレジスタ１００と第１実施形態のレジスタ１との違いはリテーナ２０の上下内壁に設けられる漏れ防止部１２６、１２７の形状である。
第１実施形態と異なり、第２実施形態の漏れ防止部１２６、１２７は、それぞれ上流側に、下流側に向かい奥フィン８０に近づくように内側に傾斜する上流側傾斜面１２６Ａ、１２７Ａを有する。
上流側傾斜面１２６Ａ、１２７Ａはいずれも奥フィン８０の各回動軸８２より僅かに上流側からリテーナ２０の上下内壁における前後方向中央より後側にまで延びる。リテーナ２０後部の水平な上壁に対する上流側傾斜面１２６Ａの傾斜角度は約１６０°、リテーナ２０後部の水平な下壁に対する下流側傾斜面１２７Ａの傾斜角度は約１４５°であり、それぞれ第１実施形態の漏れ防止壁２６、２７の傾斜角度と比べて格段に緩やかな緩斜面となっている。よって、通風路２５の上下壁近傍を通る空気流の圧力損失は第１実施形態のレジスタ１に比べて、第２実施形態のレジスタ１００の方が大幅に小さい。
【００４０】
また、第２実施形態の上流側傾斜面１２６Ａ、１２７Ａでは上流側に向かって内側に傾斜する第１実施形態の漏れ防止部２７とは異なり、下流側に向かって内側に傾斜するから、上流側傾斜面１２６Ａ、１２７Ａにより向きを変えた空気流が奥フィンに向かってスムーズに流れやすく、奥フィン８０の指向性を更に向上させることができる。上流側傾斜面１２６Ａ、１２７Ａの傾斜角度は通風路２５を通る空気流の圧力損失を低減すると共に奥フィン８０の指向性を維持する角度に設定され、１０°〜５０°（リテーナ後部の水平な上壁又は下壁に対して１３０°〜１７０°）の範囲であることが好ましい。
【００４１】
また、上側の漏れ防止壁１２６は下流側に向かって斜め上方に傾斜する下流側傾斜面１２６Ｂを有する。よって奥フィン８０の向きを上側に変えた時には下流側傾斜面１２６Ｂにより空気流が斜め上方にガイドする。また、下側の漏れ防止部１２７は下流側に向かって斜め下方に傾斜する下流側傾斜部１２７Ｂを有し、奥フィン８０の向きを下方に変えた時には下流側傾斜面１２７Ｂが空気流を斜め下方にガイドする。これら下流側傾斜面１２６Ｂ、１２７Ｂは吹出口２の外側に広がる方向に傾斜するので、通風路２５内壁の吹出口２近傍を通る風が下流側傾斜面１２６Ｂ、１２７Ｂの存在により向きを乱されない。
【００４２】
なお、第１実施形態の漏れ防止部２６、２７と同様に、第２実施形態の漏れ防止部１２６、１２７も略同一の側断面が吹出口２の短手方向に沿って連続して形成され、第２実施形態のリテーナ２０は図１１のように上流側傾斜面１２６Ａ、１２７Ａの緩斜面が側面視において明確に視認できる形状となっている。
なお、上述したように、第２実施形態のレジスタ１００の他の構成は第１実施形態のレジスタ１と全く同じであり、仮にベゼル１０を図１１のリテーナ２０に嵌着してなる第２実施形態のレジスタ１００の斜視図や側面図は、図２、図３のレジスタ１においてリテーナ２０の上下壁に１２６Ａ、１２７Ｂ、１２７Ａのような緩斜面を設けるように変形したものとなる。
【００４３】
ここで、上流側傾斜面１３Ａ、１４Ａは請求項の第１傾斜面として機能する。また上流側傾斜面２６Ａ、１２６Ａ、１２７Ａは請求項の第２傾斜面として機能する。
【００４４】
以上詳細に説明した通り、第１実施形態のレジスタ１及び第２実施形態のレジスタ１００では、前面を側面視略円弧状にデザインするため、吹出口２の長手開口縁１１Ａは、下流側に突出して側面視略円弧状に形成されると共に、前フィン５０も、その前端縁部５０Ａが吹出口の長手開口縁１１Ａに沿う略円弧状に形成される。このため前フィン５０の弦長は前フィン５０の長手方向端部に近づくほど短くなる。これに対して山形凸条１３、１４の上流側傾斜面１３Ａ、１４Ａの傾斜角度は、吹出口２の長手方向において中央部分から端部に向かうに連れて大きくなる。
よって前フィン５０の弦長が短い吹出口２の長手方向端部近傍では特に、前フィン５０の指向性を向上させることができる。また風速が比較的小さな吹出口２の長手方向端部近傍では、上流側傾斜面１３Ａ、１４Ａの傾斜角度を大きくしても空気流の圧力損失はあまり大きくならない。
また吹出口２の長手方向中央部分に向かうにつれて前フィン５０の弦長も長くなるから、吹出口２の長手方向中央部分に向かうに連れて大きくなりがちな圧力損失を低減できる。
以上より、第１実施形態のレジスタ１及び第２実施形態のレジスタ１００では、吹出口２を通る空気流の圧力損失全体を低減しつつ、長手方向端部近傍における前フィン５０の指向性を上げることができる。
【００４５】
また第１実施形態のレジスタ１及び第２実施形態のレジスタ１００では、前フィン５０の長手方向端部の近傍部分の弦長を長くするように当該近傍部分の後部が延長される。    よって、レジスタ１、１００前面の意匠に影響を与えることなく前フィン５０の長手方向端部の近傍部分の弦長を長くして、長手方向端部の近傍部分であっても前フィン５０の表面により多くの空気流を流れさせて当該長手方向端部の近傍部分における指向性を上げることができる。また、前フィン５０全体の剛性も向上する。
【００４６】
また第１実施形態のレジスタ１及び第２実施形態のレジスタ１００では、吹出口２内において前フィン５０より上流側に、回動軸５１、５２が吹出口２の短手方向と略同じ向きに配設される複数枚の奥フィン８０を有するが、奥フィン８０はいずれもその前中央部分が切り欠かれているので、その分、奥フィン８０の回動軸８２の位置を吹出口２前端に近づけることができ、奥フィン８０による風の指向性を向上させることができる。
【００４７】
また第１実施形態のレジスタ１及び第２実施形態のレジスタ１００では、吹出口２と連続する通風路２５を有し、通風路２５において吹出口２の短手方向に沿う内壁には、下流側に向かい奥フィン８０に近づくように内側に傾斜する上流側傾斜面２６Ａ又は１２６Ａ及び１２７Ａを有する漏れ防止部２６、１２６、１２７が形成される。
よって通風路２５において吹出口２の短手方向に沿う内壁近くを通る空気流は漏れ防止部２６、１２６、１２７の上流側傾斜面２６Ａ、１２６Ａ、１２７Ａにより奥フィン８０側に曲げられる。このため吹出口２の短手方向に沿う通風路２内壁近傍を通る空気流が奥フィン８０と通風路２５内壁との隙間を抜けてしまうことが防止されて、より多くの空気流が奥フィン８０の表面に沿って流れることになり、奥フィン８０の指向性を更に向上できる。
【００４８】
尚、本発明は前記実施形態に限定されることはなく、本発明の要旨を逸脱しない範囲内で種々の改良、変形が可能であることは勿論である。
例えば、リテーナ２０の上下内壁において吹出口側に形成される漏れ防止部２６、１２６、１２７は側断面視略台形に形成されたが、奥フィン８０の弦長によっては側断面視略山形形状であってもよい。  
また、実施形態のレジスタ１、１００は側面視において上方に向かい後側に傾斜する形状に形成されたが、それに限定されないのは勿論である。
また、実施形態のレジスタ１は縦置きで吹出口２の長手方向が上下方向を向いていたが、横置きとして、吹出口２の長手方向が左右方向を向くのでもよい。
また、実施形態のレジスタ１には通風路２５にダンパを設けないが、設けてもよい。
【符号の説明】
【００４９】
１、１００                  レジスタ
２                          吹出口
１１                        前板部
１１Ａ                      長手開口縁
１３、１４                  山形凸条
１３Ａ、１４Ａ              吹出口の上流側傾斜面
２０                        リテーナ
２５                        通風路
２６、２７、１２６、１２７  漏れ防止部
２６Ａ、１２６Ａ、１２７Ａ  通風路の上流側傾斜面
５０                        前フィン
５０Ａ                      前フィンの前端縁部
５１、５２                  回動軸          
６０                        操作ノブ
８０                        奥フィン
８１                        切り欠き部
ｒ                          弦長
Ｒ                          最長弦長
Ｌ  前フィンの回転軸を通る直線と前フィン前端縁部との最短距離
Ｍ  前フィンの回転軸を通る直線と前フィン前端縁部との最長距離  
【図１】
0005502591.tif 000002
【図２】
0005502591.tif 000003
【図３】
0005502591.tif 000004
【図４】
0005502591.tif 000005
【図５】
0005502591.tif 000006
【図６】
0005502591.tif 000007
【図７】
0005502591.tif 000008
【図８】
0005502591.tif 000009
【図９】
0005502591.tif 000010
【図１０】
0005502591.tif 000011
【図１１】
0005502591.tif 000012